(57)【特許請求の範囲】
【請求項１】
蒸気と冷水を混合室内で混合して温水を生成する混合弁装置であって、
前記混合室を形成するボディとその開口部を閉止する蓋体とを有するケースと、
前記混合室への蒸気導入量を調節する蒸気弁と、
前記混合室への冷水導入量を調節する冷水弁と、
前記蒸気弁および冷水弁を開閉移動させる弁棒と、
前記混合室の圧力と冷水の圧力とに基づいて前記弁棒を作動させる弁駆動部材と、
前記弁棒を案内するガイド体とを備え、
前記ガイド体は、前記ボディの開口部の内面に嵌合されて前記ボディの棚部に前記ガイド体の底部が載置されており、
前記底部に、前記棚部に向かって進出するジャッキ用ねじ体と螺合可能な複数のねじ孔が形成され、
前記各ねじ孔に、前記ねじ体が、前記ガイド体を前記棚部から引き上げるジャッキ作用を抑制した状態で浅く螺合されている混合弁装置。
【請求項２】
蒸気と冷水を混合室内で混合して温水を生成する混合弁装置であって、
前記混合室を形成するボディとその開口部を閉止する蓋体とを有するケースと、
前記混合室への蒸気導入量を調節する蒸気弁と、
前記混合室への冷水導入量を調節する冷水弁と、
前記蒸気弁および冷水弁を開閉移動させる弁棒と、
前記混合室の圧力と冷水の圧力とに基づいて前記弁棒を作動させる弁駆動部材と、
前記弁棒を案内するガイド体とを備え、
前記ガイド体は、前記ボディの開口部の内面に嵌合されて前記ボディの棚部に前記ガイド体の底部が載置されており、
前記底部に、前記棚部に向かって進出するジャッキ用ねじ体と螺合可能な複数のねじ孔が形成され、
さらに、前記棚部に前記ねじ体が予め取り付けられ、前記ガイド体に前記ねじ体にアクセスさせるアクセス孔が形成されている混合弁装置。
【請求項３】
請求項２において、さらに、前記ねじ体によって前記棚部に支持されて前記ねじ孔を覆う保護部材を備えた混合弁装置。
【請求項４】
蒸気と冷水を混合室内で混合して温水を生成する混合弁装置であって、
前記混合室を形成するボディとその開口部を閉止する蓋体とを有するケースと、
前記混合室への蒸気導入量を調節する蒸気弁と、
前記混合室への冷水導入量を調節する冷水弁と、
前記蒸気弁および冷水弁を開閉移動させる弁棒と、
前記混合室の圧力と冷水の圧力とに基づいて前記弁棒を作動させる弁駆動部材と、
前記弁棒を案内するガイド体とを備え、
前記ガイド体は、前記ボディの開口部の内面に嵌合されて前記ボディの棚部に前記ガイド体の底部が載置されており、
前記底部に、前記棚部に向かって進出するジャッキ用ねじ体と螺合可能な複数のねじ孔が形成され、
さらに、前記ガイド体と前記ボディとの間に配置されて両者間の隙間を封止するシール部材を備えた混合弁装置。
【請求項５】
請求項１に記載の混合弁装置における前記ガイド体を前記ボディから取り出す方法であって、前記各ねじ孔に前記ジャッキ用ねじ体をねじ込んで、前記ねじ体の先端部によって前記棚部を押圧することにより、前記ガイド体を前記ボディから離間させる混合弁装置のガイド体取り出し方法。
【請求項６】
蒸気と冷水を混合室内で混合して温水を生成する混合弁装置であって、前記混合室を形成するボディとその開口部を閉止する蓋体とを有するケースと、前記混合室への蒸気導入量を調節する蒸気弁と、前記混合室への冷水導入量を調節する冷水弁と、前記蒸気弁および冷水弁を開閉移動させる弁棒と、前記混合室の圧力と冷水の圧力とに基づいて前記弁棒を作動させる弁駆動部材と、前記弁棒を案内するガイド体とを備え、前記ガイド体は、前記ボディの開口部の内面に嵌合されて前記ボディの棚部に前記ガイド体の底部が載置されており、前記底部に、前記棚部に向かって進出するジャッキ用ねじ体と螺合可能な複数のねじ孔が形成されている混合弁装置における前記ガイド体を前記ボディから取り出す方法であって、
前記各ねじ孔に前記ジャッキ用ねじ体をねじ込んで、前記ねじ体の先端部によって前記棚部を押圧することにより、前記ガイド体を前記ボディから離間させ、
前記ジャッキ用ねじ体として、前記ねじ孔に予め螺合されたねじ体を使用する混合弁装置のガイド体取り出し方法。
【請求項７】
蒸気と冷水を混合室内で混合して温水を生成する混合弁装置であって、前記混合室を形成するボディとその開口部を閉止する蓋体とを有するケースと、前記混合室への蒸気導入量を調節する蒸気弁と、前記混合室への冷水導入量を調節する冷水弁と、前記蒸気弁および冷水弁を開閉移動させる弁棒と、前記混合室の圧力と冷水の圧力とに基づいて前記弁棒を作動させる弁駆動部材と、前記弁棒を案内するガイド体とを備え、前記ガイド体は、前記ボディの開口部の内面に嵌合されて前記ボディの棚部に前記ガイド体の底部が載置されており、前記底部に、前記棚部に向かって進出するジャッキ用ねじ体と螺合可能な複数のねじ孔が形成されている混合弁装置における前記ガイド体を前記ボディから取り出す方法であって、
前記各ねじ孔に前記ジャッキ用ねじ体をねじ込んで、前記ねじ体の先端部によって前記棚部を押圧することにより、前記ガイド体を前記ボディから離間させ、
前記ジャッキ用ねじ体として、前記蓋体を前記ボディに締結するボルトを使用する混合弁装置のガイド体取り出し方法。
【発明の詳細な説明】
【技術分野】
【０００１】
本発明は、蒸気と冷水を混合室内に導入して混合することにより温水を作る混合弁装置とそのガイド体取り出し方法に関するものである。
【背景技術】
【０００２】
この種の一般的な混合弁装置Ａは図９に示すような構成になっている（特許文献１参照）。すなわち、装置のケース２０はボディ１の上端の開口部１ａを蓋体２３で施蓋して構成されており、ボディ１の相対向する位置に蒸気入口２と冷水入口３がそれぞれ開口されている。冷水入口３には冷水配管（図示せず）を通じて矢印Ｃのように冷水が導入され、この冷水Ｃは、冷水通路１１を通じて混合室４内に流入する一方、図示しない内部通路とパイロット弁隙間を通じて蓋体２３とその内側のダイヤフラム２１との間の空間に流入する。ボディ１と蓋体２３とは、これらの間にダイヤフラム２１の周縁部を挟持した状態で重ね合わされて固定ボルト２５で固定されている。蒸気入口２には、蒸気配管（図示せず）を通じて矢印Ｈのように蒸気（又は高温水）が流入し、混合室４への蒸気導入量を調節する蒸気弁１４が図示のように開かれることで混合室４内に導入されて、この蒸気Ｈと冷水Ｃが混合されて温水Ｍが作られる。
【０００３】
ボディ１の開口部１ａの内面には、弁棒８を案内するガイド体３１が嵌合されており、このガイド体３１とダイヤフラム２１との間に復帰用スプリング２２が配置されている。また、蒸気入口２と冷水入口３の近傍にはそれぞれ、混合弁装置Ａへ流入する方向には流体を通すが、その逆方向には通さない逆止弁ＣＶ１，ＣＶ２が接続されている。この混合弁装置Ａの下流側に、すなわち、混合弁装置Ａの温水流出口２４に連結された温水配管２８に、温水弁（カラン）２９が設けられている。
【先行技術文献】
【特許文献】
【０００４】
【特許文献１】特開平９−４９５８３号公報
【発明の概要】
【発明が解決しようとする課題】
【０００５】
この混合弁装置Ａでは、保守点検やメンテナンスなどを行う場合、蓋体２３、ダイヤフラム２１、ガイド体３１および復帰用スプリング２２により構成されたダイヤフラムユニット３０がボディ１から取り外される。このダイヤフラムユニット３０の取り外しは、固定ボルト２５を取り外すことによって蓋体２３のボディ１への固定を解除したのちに、ガイド体３１がボディ１から取り出される。しかしながら、ガイド体３１は、ボディ１内でのがたつきを防止するために、ボディ１の開口部１ａに緊密に嵌合されているために、ボディ１からの取り出しが容易でない。
【０００６】
本発明は、保守点検に際してガイド体をボディから容易に取り出すことのできる構成を備えた混合弁装置およびそのガイド体取り出し方法を提供することを目的とする。
【課題を解決するための手段】
【０００７】
上記目的を達成するために、本発明に係る混合弁装置は、蒸気と冷水を混合室内で混合して温水を生成する混合弁装置であって、前記混合室を形成するボディとその開口部を閉止する蓋体とを有するケースと、前記混合室への蒸気導入量を調節する蒸気弁と、前記混合室への冷水導入量を調節する冷水弁と、前記蒸気弁および冷水弁を開閉移動させる弁棒と、前記混合室の圧力と冷水の圧力とに基づいて前記弁棒を作動させる弁駆動部材と、前記弁棒を案内するガイド体とを備え、前記ガイド体は、前記ボディの開口部の内面に嵌合されて前記ボディの棚部に前記ガイド体の底部が載置されており、前記底部に、前記棚部に向かって進出するジャッキ用ねじ体と螺合可能な複数のねじ孔が形成されている。
【０００８】
この混合弁装置では、保守点検に際してガイド体をボディから取り外す場合、蓋体をボディから取り外したのちに、ガイド体の底部の各ねじ孔にジャッキ用ねじ体をねじ込み、ねじ体の先端がボディの棚部に当接したのちにねじ体をさらにねじ込むことにより、ねじ孔内を螺進するねじ体の先端部によってガイド体がボディから浮き上がるように強制的に持ち上げられる。持ち上げられたガイド体は手または工具で掴んでボディの外部に取り出される。これにより、ガイド体は、ボディに取り出し難い状態に嵌合されていても、ねじ体をねじ孔にねじ込むだけの単純な作業によって、そのジャッキ作用によりボディから容易に取り出すことができる。
【０００９】
本発明において、前記各ねじ孔に、前記ねじ体が、前記ガイド体を前記棚部から引き上げるジャッキ作用を抑制した状態で浅く螺合されていることが好ましい。これにより、ガイド体をボディから取り外す際に、蓋体をボディから取り外すと、ガイド体の各ねじ孔に浅く螺合されたねじ体が外部に露呈するので、このねじ体をそのままねじ孔に深くねじ込むことにより、ガイド体をジャッキ作用でボディから取り出すことができる。この場合、保守点検時毎に所要のねじ体を用意する必要がなく、ねじ孔に予め螺合されたねじ体をそのまま使用すればよいので、ガイド体のボディからの取り出しを迅速に行うことができる。また、ねじ孔は、ねじ体が常時螺合されていることによって内部にスケールが堆積するのを防止できる。
【００１０】
本発明において、前記棚部に前記ねじ体が予め取り付けられ、前記ガイド体に前記ねじ体にアクセスさせるアクセス孔が形成された構成とすることもできる。これにより、ねじ体をガイド体のねじ孔に予め取り付けておく構成ではねじ体をジャッキ作用を抑制した状態で浅くしか螺合できないのとは異なり、ねじ体をボディの棚部に取り付けるので、ねじ体を脱落のおそれのないように強固に固定することができる。また、ガイド体をボディから取り外す場合には、ボディの棚部に取り付けられたねじ体をガイド体のアクセス孔を介して取り外し、この取り外したねじ体をガイド体のねじ孔にねじ込むことにより、ガイド体をジャッキ作用でボディから取り出すことができる。この場合も、保守点検毎に所要のねじ体を用意する必要がなく、ボディの棚部に予め取り付けられているねじ体を使用するので、ガイド体のボディからの取り出し作業を一層容易に行うことができる。
【００１１】
棚部にねじ体が取り付けられる上記構成において、さらに、前記ねじ体によって前記棚部に支持されて前記ねじ孔を覆う保護部材を設けることができる。これにより、ガイド体をボディから取り外す際に、ねじ体をボディの棚部から取り外すことにより保護部材も同時に取り外され、この取り外したねじ体をガイド体のねじ孔にねじ込むことにより、ガイド体をジャッキ作用でボディから容易に取り出すことができる。また、ねじ孔は、装置作動時に保護部材により覆われて内部にスケールが堆積するのが防止されているから、ねじ体を螺合する際に螺合不良や取り付け不良が発生することがない。
【００１２】
本発明において、さらに、前記ガイド体と前記ボディとの間に配置されて両者間の隙間を封止するシール部材を備える構成とすることもできる。本発明の混合弁装置の下流側に配置された温水弁を急閉すると、ウォーターハンマーが発生して混合室内の圧力が上昇し、温水がガイド体とボディとの間を通過して、ボディと蓋体の間から外部へ漏出しようとする場合がある。ここで、シール部材により、温水がガイド体とボディ間を通過するのが阻止されるから、温水の外部漏れを確実に防止することができる。その反面、ガイド体は、ボディとの間に設けられたシール部材によって相対移動に対する摩擦抵抗が大きくなるために、ボディから一層取り出し難い状態になる。この場合にも、ねじ体をねじ孔にねじ込むだけの単純な作業によるジャッキ作用によって、ガイド体をボディから容易に取り出すことができる。
【００１３】
本発明に係る混合弁装置のガイド体取り出し方法は、混合弁装置における前記ガイド体を前記ボディから取り出す方法であって、前記各ねじ孔に前記ジャッキ用ねじ体をねじ込んで、前記ねじ体の先端部によって前記棚部を押圧することにより、前記ガイド体を前記ボディから離間させる。これにより、ガイド体がボディの開口部の内面に緊密に嵌合されてボディから取り出し難い状態になっている場合であっても、ねじ体のジャッキ作用により、ガイド体をボディから容易に取り出すことができる。
【００１４】
本発明の方法において、前記ジャッキ用ねじ体として、前記ねじ孔に予め螺合されたねじ体を使用することができる。これにより、蓋体をボディから取り外したときに、ねじ孔に螺合されたねじ体が外部に露呈するので、保守点検毎に所要のジャッキ用ねじ体を用意する必要がなく、ねじ孔に予め螺合されたねじ体をそのまま使用すればよいので、ガイド体のボディからの取り出しを迅速に行うことができる。また、ねじ孔は、ねじ体が常時螺合されていることによって内部にスケールが堆積するのを防止できる。
【００１５】
本発明の方法において、前記ジャッキ用ねじ体として、前記蓋体をボディに締結するボルトを使用することもできる。これにより、ダイヤフラムユニットをボディから取り外す際に、蓋体をボディに固定しているボルトを最初に取り外すので、この取り外したボルトをねじ孔にねじ込むことにより、ボルトのジャッキ作用によってガイド体をボディから取り出すことができ、保守点検毎に所要のジャッキ用ボルトを用意する必要がない。
【発明の効果】
【００１６】
本発明によれば、保守点検に際してガイド体をボディから取り外す場合、ガイド体の底部の各ねじ孔にジャッキ用ねじ体をねじ込み、ねじ体の先端がボディの棚部に当接したのちにねじ体をさらにねじ込むことにより、ガイド体がジャッキ作用によってボディから浮き上がるように強制的に持ち上げられる。したがって、ガイド体は、ボディに対し緊密に嵌合していても、ねじ体をねじ孔にねじ込むだけの単純な作業によって、そのジャッキ作用によりボディから容易に取り出すことができる。
【図面の簡単な説明】
【００１７】
【図１】本発明の第１実施形態に係る混合弁装置を示す縦断面図である。
【図２】図１のII−II線断面図である。
【図３】同上の混合弁装置を一部切欠して示す斜視図である。
【図４】（ａ），（ｂ）はそれぞれ同上の混合弁装置のガイド体をボディから取り出す作業の異なる例を示す要部の縦断面図である。
【図５】本発明の第２実施形態に係る混合弁装置を示す要部の縦断面図である。
【図６】同上の混合弁装置のガイド体をボディから取り出す作業過程を示す要部の縦断面図である。
【図７】本発明の第３実施形態に係る混合弁装置を示す要部の縦断面図である。
【図８】本発明の第４実施形態に係る混合弁装置を示す要部の縦断面図である。
【図９】従来の混合弁装置置を示す縦断面図である。
【発明を実施するための形態】
【００１８】
以下、本発明の好ましい実施形態について図面を参照しながら説明する。図１ないし図３は本発明の第１実施形態に係る混合弁装置Ａを示す。この混合弁装置Ａは、図１に示すように、装置Ａの外体をなすケース２０がボディ１とその上部の開口部１ａを閉止する蓋体２３とにより構成されている。ボディ１には、蒸気配管（図示せず）から第一逆止弁ＣＶ１を通って矢印Ｈのように蒸気が供給される蒸気入口２と、冷水配管（図示せず）から第二逆止弁ＣＶ２を通って矢印Ｃのように冷水が供給される冷水入口３とが相対向する位置にそれぞれ開口している。ボディ１の内部には温水を作るための混合室４が形成され、図２に示すように、相対向する位置で混合室４にそれぞれ連通する二つの温水流出口５０が形成されている。すなわち、混合室４で作られた温水は二つの温水流出口５０を通じて互いに逆方向に、温水配管（図示せず）を介して取り出し可能になっている。
【００１９】
図１に示すように、冷水入口３から導入された冷水Ｃは、冷水通路１１（図２）および後述の冷水弁１８を介して混合室４内に流入する一方、蓋体２３とその下側（内側）のダイヤフラム２１との間に形成された感圧室６内に流入して、蒸気弁１４および冷水弁１８を駆動するための駆動圧力として作用する。これの詳細については後述する。ボディ１の内部中央部には、円筒状の弁座部材１０が取り付けられおり、この弁座部材１０における蒸気入口２に連通する箇所には、蒸気Ｈを混合室４内に導く導入口１０ａが形成され、この導入口１０ａは、温水流出口５０の下流に接続された温水弁２９（図２）を開かない限り、弁体スプリング１３のばね力により弁体１２で閉じられている。混合室４への蒸気導入量を調整する蒸気弁１４は、導入口１０ａを開口する弁座部材１０、弁体１２および弁体スプリング１３により構成されている。図１は、蒸気弁１４の全閉状態を示しており、この状態からダイヤフラム２１により弁棒８を介し弁体１２が押し下げられることにより、蒸気弁１４が開かれる。弁棒８は上下に２分割されて互いに接続されている。
【００２０】
蓋体２３は、ダイヤフラム２１の周縁部２１ａをボディ１の開口部端面との間で挟持した状態で、ボルト２５によりボディ１に固定されている。ダイヤフラム２１はゴムのような弾性部材により形成されており、これによって、ダイヤフラム２１の周縁部２１ａがボディ１と蓋体２３との間を封止するガスケットの機能も兼ねている。蓋体２３とダイヤフラム２１との間には感圧室６が形成されており、この感圧室６には、冷水入口３からの冷水Ｃが以下に説明する経路で流入する。
【００２１】
すなわち、図３に示すように、冷水入口３からの冷水Ｃは、スクリーン７を経てパイロット用第１通路Ｒ１から蒸気弁駆動用の冷水Ｃの駆動圧力を調整するパイロット弁ＰＶに入る。パイロット弁ＰＶのボールからなる弁体４０は、混合室４から温水流出口５０に向かう温水通路１６内に臨んだバイメタル３３の変形に連動して軸方向Ｘ−Ｙに移動する感温制御ロッド９により、ばね５１のばね力に抗して軸方向Ｘ−Ｙに移動される。これにより、弁体４０は、弁座３８との間の隙間の大きさが調整されて、感圧室６に入る冷水の圧力、つまり駆動圧力が、温水通路１６内の温水温度に応じて調節される。その結果、蒸気弁１４の開度が調節されて、温水通路１６内の温水が設定温度に保持される。調温ハンドル４１は、前記弁座３８の軸方向位置を調整することにより、設定温度を調節する。混合室４内で生成された温水Ｍは温水通路１６を通って一方の温水流出口５０から吐出され、他方の温水流出口５０は、この例ではプラグ１５により閉塞されて使用されない。
【００２２】
平面視で四角形のダイヤフラム２１には、これの中央部に弁棒８が吊り下げ状態で取り付けられている。弁棒８は、ボディ１に取り付けられたガイド体３１のガイド孔４５に挿通されて、ガイド体３１により円滑に上下動するよう案内される。ガイド体３１は、底部を形成する円盤状の底壁３１ａと周壁３１ｂとを有する短い円筒状であり、図１に示すボディ１の開口部１ａの内面に、ボディ１内でのガイド体３１のがたつきがないように、ある程度緊密に嵌合され、ボディ１の棚部１ｂに自身の底部３１ａが載置された状態でボディ１に取り付けられている。ただし、図２に示すように、ボディ１における二つの温水流出口５０が設けられる箇所には、ガイド体３１の底部３１ａを載置するための棚部１ｂが設けられていない。このガイド体３１の底部３１ａに、ダイヤフラム２１の下側の作動室５を混合室４に連通させる連通孔４６が形成されている。
【００２３】
ガイド体３１の周壁３１ｂの外周面には環状の取付け溝４２が形成され、この取付け溝４２に、０リングからなる環状のシール部材４３が取り付けられている。ガイド体３１の上面とダイヤフラム２１との間には、ダイヤフラム２１および弁棒８を上方に付勢する復帰用スプリング２２が設けられている。ダイヤフラム２１、弁棒８、蒸気弁１４および冷水弁１８は、弁軸心Ｃ１上に同心状に配置されている。
【００２４】
また、前記弁棒８の下部には円筒状の冷水弁１８が弁座部材１０の内周面に摺動する配置で放射状のステー３４を介して取り付けられおり、この冷水弁１８は、弁棒８により蒸気弁１４と一体的に上下動されて、弁座部材１０に設けられた複数の冷水流入孔１０ｂを開閉する。したがって、ダイヤフラム２１が弁棒８を押し下げたときには、弁棒８の先端面により蒸気弁１４の弁体１２が押し下げられて導入口１０ａから離間し、蒸気弁１４が開いて混合室４内への蒸気流入量が増大する一方，冷水流入孔１０ｂが冷水弁１８により開口面積が減少するように絞られて、混合室４内への冷水導入量が減少する。
【００２５】
つぎに、上記混合弁装置の作用について説明する。ダイヤフラム２１は、上方の感圧室６から作用する冷水の駆動圧力と下方の混合室４から作用する温水の圧力および復帰用スプリング２２のばね力との差が下向きの作動力である場合に、弁棒８を介して弁体１２を二点鎖線で示すように押し下げ、逆に上向きの作動力である場合には、弁棒８を持ち上げるとともに弁体スプリング１３が弁体１２を上昇させる。また、冷水弁１８は、弁棒８によって蒸気弁１４と一体的に作動されて、冷水流入孔１０ｂから混合室４への冷水導入量を調節する。
【００２６】
一方、図３のパイロット弁ＰＶは、混合室４で作られる温水Ｍの温度をバイメタル３３で常時感知して、感知した温水温度が設定温度よりも高温になったときに、感圧室６への冷水の流入量を抑制する。それにより、ダイヤフラム２１を上方に移動させ、弁棒８を介して冷水弁１８を開弁方向（上方）に作動させるとともに、弁体スプリング１３によって弁体１２が閉弁方向（上方）に移動するのを許容する。逆に、設定温度よりも低温になったときには、感圧室６への冷水の流入量を増大させて、ダイヤフラム２１を下方に移動させ、弁棒８を介して蒸気弁１４を開弁方向（下方）に、かつ冷水弁１８を閉弁方向（下方）にそれぞれ作動させる。すなわち、パイロット弁ＰＶは、感圧室６に作用する冷水Ｃの駆動圧力を温水設定温度に応じて調整し、それにより、混合室４内で設定温度の温水が作られる。
【００２７】
ここで、図２の温水弁２９を全開状態にして温水を使用しているときに温水弁２９を急激に全閉にすると、温水弁２９の上流側の温水Ｍや、冷水入口３から流入する冷水Ｃの持つ運動エネルギ（慣性力）により、ウォーターハンマーが発生することがある。このウォーターハンマーによる衝撃圧力が高い場合、発明者らの精査の結果、混合室４内の温水Ｍはダイヤフラム２１の下側の作動室５からボディ１と蓋体２３との間を通るのではなく、ボディ１の開口部１ａとガイド体３１の周壁３１ｂとの間の僅かな隙間を通り、ボディ１と蓋体２３との間から外部に漏出しようとすることが判明した。
【００２８】
そこで、この実施形態の混合弁装置では、ボディ１とガイド体３１との間にシール部材４３を配置して、ボディ１とガイド体３１の間を封止している。これにより、ウォーターハンマーによる大きな衝撃圧力が発生したときに、温水Ｍがガイド体３１とボディ１との間を通過するのが阻止される結果、ボディ１と蓋体２３の間から温水Ｍが漏出するのを防止できる。
【００２９】
この種の混合弁装置Ａでは、保守点検やメンテナンスに際して、蓋体２３、ダイヤフラム２１、ガイド体３１および復帰用スプリング２２によって構成されるダイヤフラムユニット３０がボディ１から取り外される。ところが、この混合弁装置Ａは、ガイド体３１が、ボディ１に対し緊密に嵌合されているとともに、ボディ１との間にシール部材４３が配設されているため、ガイド体３１とボディ１との間およびシール部材４３とボディ１との間の相対移動に対する摩擦抵抗によって、ガイド体３１をボディ１の内面から取り外すのが困難となる。また、ボディ１とガイド体３１との隙間にスケールが付着するような場合には、この摩擦抵抗がさらに増大する。
【００３０】
そこで、図１に示すように、この実施形態では、ガイド体３１を容易な作業でボディ１から確実に取り出せるようにするために、ガイド体３１におけるボディ１の棚部１ｂに載置される底部３１ａに、ボディ１の棚部１ｂに向かって進出する後述のジャッキ用ねじ体が螺合可能な二つのねじ孔３７が上下方向に貫通して形成されている。二つのねじ孔３７は、弁軸心Ｃ１の回りに１８０°離間した相対向する箇所に形成されている。具体的に説明すると、図２から明らかなように、ボディ１における二つの温水流出口５０が形成された箇所には、ガイド体３１の底部３１ａを載置するための図１の棚部１ｂが形成されていないので、この底部３１ａにおける棚部１ｂに対向しない箇所にはねじ孔３７を形成することができない。そこで、二つのねじ孔３７は、ガイド体３１の底部３１ａにおける蒸気入口２および冷水入口３に対して上方からそれぞれ対向する２箇所に形成される。
【００３１】
保守点検やメンテナンに際して、ダイヤフラムユニット３０をボディ１から取り外す場合、図４（ａ）に示すように、ボルト２５（図１）を緩めて蓋体２３をボディ１から取り外したのち、二つのねじ孔３７が上方から視認できる状態までダイヤフラム２１の周縁部を上方へ折り曲げて、その二つのねじ孔３７にそれぞれ、ジャッキ用ねじ体４７をねじ込んで双方をほぼ同等に螺進させ、ねじ体４７の先端がボディ１の棚部１ｂに当接したのちにねじ体４７をさらにねじ込むことにより、ねじ孔３７内を螺進するねじ体４７の先端部により、ガイド体３１がボディ１から浮き上がるように強制的に持ち上げられる。これにより、ねじ体４７をねじ孔３７にねじ込むだけの単純な作業によって、そのジャッキ作用によりボディ１から容易に取り出すことができる。上記ジャッキ作用を得るためのねじ孔３７は、上述のように弁軸心Ｃ１の回りに１８０°離間した相対向する箇所に形成された二つを備えているだけで十分である。ただし、ねじ孔３７は三つ以上設けてもよく、その場合、ねじ孔３７は弁軸心Ｃ１回りに等間隔で配置されるのが好ましい。
【００３２】
また、図４（ｂ）に示すように、ダイヤフラムユニット３０をボディ１から取り外す際に、蓋体２３をボディ１に固定している固定ボルト２５（図１）を最初に取り外すので、ねじ孔３７を固定ボルト２５が螺合可能な内径に形成しておけば、取り外した固定ボルト２５をねじ孔３７にねじ込むことにより、ジャッキ作用によってガイド体３１をボディ１から取り出すことができる。このように固定ボルト２５をジャッキ用ボルトとして利用することにより、保守点検毎に所要のジャッキ用ボルトを用意する必要がなく、作業が一層容易になる。
【００３３】
図５は本発明の第２実施形態に係る混合弁装置Ａを示す要部の縦断面図である。この混合弁装置Ａは、二つのねじ孔３７に、このねじ孔３７の長さとほぼ同じ長さを有する六角孔付きの専用のジャッキ用ねじ体４７が、棚部１ｂからガイド体３１を引き上げるジャッキ作用を抑制した状態で、予め浅く螺合されている。この場合のねじ体４７は、ねじ孔３７に常時螺合されていることから、作動室５内に突き出るものを用いるとダイヤフラム２１に損傷を与える可能性があるので、図示のようにねじ孔３７の長さとほぼ同じ長さまたはこれよりも短いものであって、ねじ頭がなく、頂面がガイド体３１の底部３１ａの上面と面一またはこの上面よりも下方に若干凹入するものが好ましい。
【００３４】
この混合弁装置Ａでは、保守点検に際してダイヤフラムユニット３０を取り外す場合、図６に示すように、ねじ孔３７に予め螺合されているねじ体４７をそのままねじ孔３７内にねじ込んでいく。これにより、ねじ体４７のシャッキ作用により、ガイド体３１の底部３１ａがボディ１の棚部１ｂから離間されて、これらの間のスケール等による相互の固着が解除された状態となるので、この状態からガイド体３１を手または工具で掴んで容易に取り出すことができる。この混合弁装置Ａでは、保守点検毎に所要のねじ体を用意する必要がなく、ねじ孔３７に予め螺合されているねじ体４７をそのままねじ込むだけであるから、ガイド体３１のボディ１からの取り出し作業を一層容易に行うことができる。また、ねじ孔３７は、ねじ体４７が常時螺合されていることによって、内部にスケールが堆積するのが防止される。
【００３５】
図７は本発明の第３実施形態に係る混合弁装置Ａを示す要部の縦断面図である。この混合弁装置では、ボディ１の棚部１ｂにおける、ねじ孔３７の近傍で、弁軸心Ｃ１寄りの箇所、つまりボディ１の内径寄りの箇所に、取付けねじ孔５２が形成されて、この取付けねじ孔５２にジャッキ用ねじ体４８が螺合されているとともに、ガイド体３１における取付けねじ孔５２に上方で対向する箇所に、ジャッキ用ねじ体４８に工具などによりアクセスすることが可能なアクセス孔５３が、ガイド体３１を貫通して形成されている。この場合のねじ体４８としては、ボディ１の棚部１ｂに取り付けられることから、ガイド体３７をボディ１から完全に上方へ抜き出せる長さを有するものであっても、これよりも短いものであってもよい。また、ねじ体４８は、ねじ頭の有るものを用いているが、ねじ頭はなくてもよい。
【００３６】
この混合弁装置では、第２実施形態のようにねじ体４７をねじ孔３７にジャッキ作用を抑制した状態で浅くしか螺合できないのものとは異なり、ねじ体４８を、ボディ１の棚部１ｂに取り付けることから、取付けねじ孔５２に十分に締結して脱落のおそれのない状態に強固に固定することができる。ダイヤフラムユニット３０をボディ１から取り外す場合には、ボディ１の棚部１ｂに取り付けられたねじ体４８を、ガイド体３１のアクセス孔５３を介しドライバのような工具を差し入れて取り外し、この取り外したねじ体４８をガイド体３１のねじ孔３７にねじ込むことにより、ガイド体３１をジャッキ作用でボディ１から容易に取り出すことができる。このガイド体３１の取り出しは、ボディ１の棚部１ｂに予め取り付けられているねじ体４８を使用するから、保守点検毎に所要のねじ体を用意する必要がなくなるので、ガイド体３１のボディ１からの取り出し作業を一層容易に行うことができる。
【００３７】
図８は本発明の第４実施形態に係る混合弁装置Ａを示す要部の縦断面図である。この混合弁装置Ａでは、ボディ１の棚部１ｂに第３実施形態と同様の取付けねじ孔５２が形成されているとともに、ガイド体３１における取付けねじ孔５２に上方で対向する箇所に、ねじ体４８の挿通孔５４と、ガイド体３１の底部３１ａのねじ孔３７の上面と面一となるように切欠かれた切欠部５７とが形成されている。さらに、ねじ体４８によって支持される保護部材５８が設けられており、ねじ体４８を取付けねじ孔５２にねじ込んで取り付けることにより、ねじ体４８の頭部によって保護部材５８がガイド体３１の上面に押し付けられて、ねじ孔３７を覆う。
【００３８】
この混合弁装置Ａでは、ダイヤフラムユニット３０をボディ１から取り外す際に、ねじ体４８をボディ１の棚部１ｂから取り外すことによって保護部材５８が同時に取り外され、この取り外したねじ体４８をガイド体３１のねじ孔３７にねじ込むことにより、ガイド体３１をジャッキ作用でボディ１から取り出すことができる。ねじ孔３７は、混合弁装置Ａの作動時に保護部材５８により覆われて内部にスケールが堆積するのが防止されているから、ねじ体４８を螺合する際にねじ込み不良や取り付け不良が発生するのを防止できる。
【００３９】
本発明は上述した実施形態に限らず、本発明の趣旨を逸脱しない範囲内で、種々の追加、変更または削除が可能であり、そのようなものも本発明の範囲内に含まれる。
【符号の説明】
【００４０】
１  ボディ
１ｂ  棚部
４  混合室
８  弁棒
１４  蒸気弁
１８  冷水弁
２０  ケース
２１  ダイヤフラム（弁駆動部材）
２３  蓋体
２５  固定ボルト（ジャッキ用ねじ体）
３１  ガイド体
３１ａ  底壁（底部）
３７  ねじ孔
４３  シール部材
４７，４８  ジャッキ用ねじ体
５３  アクセス孔
５８  保護部材
Ａ  混合弁装置
Ｃ  冷水
Ｈ  蒸気
Ｍ  温水
【図１】
0005837338.tif 000002
【図２】
0005837338.tif 000003
【図３】
0005837338.tif 000004
【図４】
0005837338.tif 000005
【図５】
0005837338.tif 000006
【図６】
0005837338.tif 000007
【図７】
0005837338.tif 000008
【図８】
0005837338.tif 000009
【図９】
0005837338.tif 000010